(57)【要約】【課題】  一種高精密度光学レンズの成形機構およびその製品を提供する。【解決手段】  この成形機構は、第１分割金型と、それに合せる第２分割金型を備え、第１分割金型と第２分割金型とを型締めた後、光学レンズを成形するためのキャビティが形成される。型開きするときに、第１と第２分割金型は互いに分離可能で、光学レンズが付着する分割金型は、固定されて一体に設けられたレンズコアと保護リングコアを備えている。この光学レンズが付着する分割金型の押出装置は、周方向に沿ってその保護リングコア上に設置されている。本発明の光学レンズは、レンズ本体と本体縁部から延出した保護リングを含み、かつこの光学レンズの保護リングを成形するために用いられたコアの表面を艶消し処理することによって、光学レンズ保護リングの上、下表面が、不透明な艶消し表面を形成している。【選択図】  図２
2005145048.tif 000002
【特許請求の範囲】
【請求項１】
固定分割金型と、これに合せる可動分割金型とを備え、前記固定分割金型と前記可動分割金型とを型締めしたときに光学レンズを成形するためのキャビティが成形され、成形された前記光学レンズが本体と本体縁部から延出した保護リングを有し、型開きをするときに成形後の前記光学レンズが前記可動分割金型と同時に前記固定分割金型から分離され、前記可動分割金型が保護リングコアとレンズコアとを備える高精密度光学レンズの成形機構において、
前記可動分割金型の前記レンズコアは、前記保護リングコアと一体に設けられ、型開きの際、前記光学レンズが前記可動分割金型の押出装置により前記可動分割金型から押出されるように構成され、前記可動分割金型の押出装置がその前記保護リング上に設置されていることを特徴とする高精密度光学レンズの成形機構。
【請求項２】
前記押出装置は、前記保護リングコアの周方向に設けられていることを特徴とする請求項１に記載の高精密度光学レンズの成形機構。
【請求項３】
前記押出装置は、前記保護リングコア上に設置されたピンホールと、それに対応する押出ピンが複数備えられてなることを特徴とする請求項１、又は請求項２に記載の高精密度光学レンズの成形機構。
【請求項４】
前記押出ピンの位置は、前記光学レンズの保護リングに対応させられていることを特徴とする請求項３に記載の高精密度光学レンズの成形機構。
【請求項５】
前記成形機構の前記保護リングコアの表面が艶消し処理され、相対的な粗い表面が形成されていることを特徴とする請求項１に記載の高精密度光学レンズの成形機構。
【請求項６】
前記押出装置は、前記保護リングコア上にリング溝と、それに相応する押出リングとを備えていることを特徴とする請求項１、又は請求項２に記載の高精密度光学レンズの成形機構。
【請求項７】
前記押出リングの位置は、前記光学レンズの保護リングに対応させられていることを特徴とする請求項６に記載の高精密度光学レンズの成形機構。
【請求項８】
前記成形機構の保護リングの表面が艶消し処理され、相対的な粗い表面が形成されていることを特徴とする請求項７に記載の高精密度光学レンズの成形機構。
【請求項９】
第１分割金型と、これに合せた第２分割金型とを備え、前記第１分割金型と前記第２分割金型とを型締めたときに光学レンズを成形するためのキャビティが成形され、成形された光学レンズが本体と本体縁部から延出した保護リングを有し、前記第１分割金型および第２分割金型は、それぞれ保護リングコアとレンズコアとを備えている高精密度光学レンズの成形機構において、
型開きの際に、前記第１、及び第２分割金型は、互いに分離可能で、かつ前記光学レンズが付着する分割金型のレンズコアは、保護リングコアと一体に固定して設けられていることを特徴とする高精密度光学レンズの成形機構。
【請求項１０】
前記光学レンズが付着する分割金型上に、保護リングコア上に位置決めされた押出装置が設けられていることを特徴とする請求項９に記載の高精密度光学レンズの成形機構。
【請求項１１】
前記押出装置は、前記保護リングコアの周方向に設けられていることを特徴とする請求項１０に記載の高精密度光学レンズの成形機構。
【請求項１２】
前記押出装置は、前記保護リングコア上に設置されたピンホールと、それに対応する押出ピンが複数備えられてなることを特徴とする請求項１０、又は請求項１１に記載の高精密度光学レンズの成形機構。
【請求項１３】
前記押出ピンの位置が光学レンズの保護リングに対応させられていることを特徴とする請求項１２に記載の高精密度光学レンズの成形機構。
【請求項１４】
前記成形機構の保護リングコアの表面が艶消し処理され、相対的な粗い表面が形成されていることを特徴とする請求項１３に記載の高精密度光学レンズの成形機構。
【請求項１５】
前記押出装置は、前記保護リングコア上にリング溝と、それに相応する押出リングを備えていることを特徴とする請求項１０、又は請求項１１に記載の高精密度光学レンズの成形機構。
【請求項１６】
前記押出リングの位置は、前記光学レンズの保護リングに対応していることを特徴とする請求項１５に記載の高精密度光学レンズの成形機構。
【請求項１７】
前記成形機構の保護リングコアの表面が艶消し処理され、相対的な粗い表面が形成されていることを特徴とする請求項１６に記載の高精密度光学レンズの成形機構。
【請求項１８】
第１分割金型と、これに合せた第２分割金型とを設け、前記第１分割金型と前記第２分割金型とを型締めて、光学レンズを成形するためのキャビティを形成し、さらに、前記第１分割金型および前記第２分割金型に、いずれも一体に設けかつ互いに変位しないレンズコアと保護リングコアとを設け、
前記キャビティ中に溶融したレンズ材を注入し、
前記キャビティと、注入された溶融レンズ材とを、特定的、かつシリーズな圧力または温度において維持し、
前記キャビティを分離させ、成形後のレンズを一つの分割金型に付着させて、他の分割金型と分離させ、次にレンズを付着させた分割金型をレンズから分離することによって完成品が得られるようにすることを特徴とする高精密度光学レンズの成形方法。
【請求項１９】
前記光学レンズが付着する分割金型からの光学レンズ分離方法は、その保護リングコア上に押出装置を設置することを特徴とする請求項１８に記載の高精密度光学レンズの成形方法。
【請求項２０】
前記押出装置を前記保護リングコアの周方向に設けることを特徴とする請求項１９に記載の高精密度光学レンズの成形方法。
【請求項２１】
前記押出装置に、前記保護リングコア上に設置されたピンホールと、それに対応する押出ピンを複数設けることを特徴とする請求項１９、又は請求項２０に記載の高精密度光学レンズの成形方法。
【請求項２２】
前記押出ピンの位置を光学レンズの縁部に対応させることを特徴とする請求項２１に記載の高精密度光学レンズの成形方法。
【請求項２３】
前記押出装置に、前記保護リングコア上にリング溝と、それに相応する押出リングを設けることを特徴とする請求項１９、又は請求項２０に記載の高精密度光学レンズの成形方法。
【請求項２４】
前記押出リングの位置を光学レンズの縁部に対応させることを特徴とする請求項２３に記載の高精密度光学レンズの成形方法。
【請求項２５】
前記両分割金型の保護リングコアの表面を艶消し処理し、相対的な粗い表面を形成することを特徴とする請求項１８に記載の高精密度光学レンズの成形方法。
【請求項２６】
レンズ本体と、本体の縁部から延出された保護リングを含む高精密度光学レンズにおいて、
光学レンズ保護リングの上、下表面が艶消し処理され不透明な艶消し表面が形成されていることを特徴とする高精密度光学レンズ。
【請求項２７】
前記光学レンズ保護リングにおける上、下表面の不透明な艶消し表面は、射出成形された時、コアの表面状態から転移されたことを特徴とする請求項２６に記載の高精密度光学レンズ。
【発明の詳細な説明】
【技術分野】
【０００１】
本発明は、一種光学レンズの成形機構及びその製品に関し、特に完成した光学レンズが高精密度で、しかも複数の類似したプロセスで形成された斯かる光学レンズを一体に組合せても高精密度に形成できる一種光学レンズ成形機構およびこのような成形機構により成形した高精密度光学レンズに関するものである。
【背景技術】
【０００２】
射出成形の技術を利用して光学レンズを生産することが、近年、多くの光学器材ないし消費性商品の生産コストを下げかつこれらを普及させている主たる原因の一つとなっており、そこには、伝統的なガラス研磨レンズによる高いコストを回避する要素が働いている。しかし、プラスチック材を用いた射出成形により成形するレンズに関しては、成形過程においてその寸法および変形量の制御が困難であるため、長年来、その技術を高精度の光学レンズの領域に広く採用できない状態のままになっている。特に多数個のレンズを一体に組合せてレンズユニットを形成しなければならない場合は、各レンズの誤差が光学的な積重ね方式により拡大され、最終的な累積誤差が許容される範囲を超えてしまうため、結局、高コストのガラス研磨レンズを使用することになり、製品の最終的な価格を低減することができないでいる。このように、光学レンズの製造分野に関して言えば、高精密度を実現しながらかつコストの優位性を有する射出成形光学レンズを、当業者が研究により常に模索しているという状況である。
【０００３】
しかし、射出成形方式を用いて光学レンズを成形する設備であるからには、その金型は精密に設計しなければ成形時の光学レンズの所定精度を保証することができない。例えば米国の特許第５，４４１，３９８号（以下、’３９８号特許と称する）および第６，１６５，３９２号（以下、’３９２号特許と称する）には、それぞれレンズの射出成形に採用される金型の具体的な設計が開示されている。なお、これらの両特許は、それぞれ Gentex Optics, Inc.及び Yamamoto Kogaku 株式会社を譲渡人として譲渡されている。これらは、何れも金型コアに関する具体的な設計に関するものである。
【０００４】
上述した’３９８号特許においては、一つの分割金型のキャビティに、レンズの外突表面を成形するための付加埋め込み（insert）（以下、インサートと言う）が設けられる。このインサートの外縁部に肩部を設け、分割金型に固定するように合せることによって、このインサートを分割金型のキャビティ内に定位させることができる。そして、’３９２号の特許も、その分割金型のキャビティ内にそれに似たインサートが設けられる。先に述べたものと異なる点は、この埋め込みに前記’３９８号特許に開示したような、分割金型に合せる肩部を設けていないことである。その代わりに、埋め込みが張り合わされる分割金型の部分に複数の吸引孔を設け、これらの吸引孔に合せるように別に設けられた貫通孔を連通させ、さらに真空ポンプによってこれらの貫通孔および吸引孔を介して前記インサートに吸引力を働かせることによって、このインサートを固定的に定位させることができるようになっている。
【０００５】
一方、従来より用いられてきた光学レンズの射出成形機構（図１参照）の金型１では、通常、一つの固定分割金型１０と、一つの可動金型１５とを備えている。前記可動分割金型１５と固定分割金型１０とを型締めすると、一つの特定形状を有するキャビティ１４が形成される。さらにキャビティ１４内に溶融状態の液体レンズ材を所定の条件（例えば、シリーズの特定圧力および温度など）において所定時間維持し、次に特定の温度まで冷却させた後、型締めまたは型開きすることができる。そして、可動分割金型１５が固定分割モールド１０から移動させられると、初期に成形された光学レンズ１８が可動分割金型１５上に留まることになる。
【０００６】
図１を例にすると、成形後の光学レンズ１８を可動分割金型１５と固定分割金型１０とから分離させる。さらなる従来の方法によれば、成形後の光学レンズ１８は、可動分割金型１５上で型開きが行われ、この可動分割金型１５には、一つの固定金型カバー１６および可動コア１７が予め設けられている。型開きの際には、固定金型カバー１６は移動させずに、コア１７がプッシュロッド１９により押出され、光学レンズ１９を外方向へ押出す。つまり、このような従来技術においては、コア１７がプッシュロッドの機能を兼用している。
【０００７】
しかしながら、前記コア１７が固定金型カバー１６に対して可動とされているため、両者間には必ず隙間が設けられていなければならない。そのため、射出成形の過程において、光学レンズ１８におけるコア１７と金型カバー１６との間の隙間に対応する部分にバリを生ずることがある。そして、バリの大きさは、コア１７と金型カバー１６間の隙間の大きさによって決まる。かくして、バリの発生により、光学レンズ１８をより精確に加工することは、一層複雑になり、また寸法の制御もより難しくなる。
【０００８】
その上、コア１７と金型カバー１６間の隙間の存在により、コア１７が新たに定位する際に、金型カバー１６との間に一定寸法のバイアスを生ずる虞がある。また、プッシュロッド１９がコア１７を押圧して光学レンズ１８を外方向へ押出す過程においては、コア１７が金型カバー１６に対してバイアス現象を生ずることがある。そして、前述のような両バイアス現象は、成形中または成形後の何れも、塑性を残す光学レンズ１８の精密度に負面影響を残し、所謂光学レンズ１８を貫通する光に“バイアス”現象が生じ、つまりレンズ１８を貫通した光が予め設定された光の進路を正確に進まず、光学レンズ１８の精密度が所定の目標に達しない。
【０００９】
また、成形した光学レンズは、カメラなどの光学機材を組合わせてレンズに用いる場合、前述のようなバイアス現象を有する光学レンズを一体に組合わせて、上、下のレンズ間が必ずしも設定通りに実現され得ないため、組合わせた後もレンズユニットを高精密度に確保することができない。
【００１０】
また、成形後の光学レンズの縁部は、通常、保護リングを一体に備えており、この保護リングはレンズ本体から延出して一定の高さを有しているので、レンズを重ね合せた場合、保護リングがレンズの本体に対して保護作用としての働きを提供すると共に、保護リングの高さが隣接した両レンズ間の距離を決める。この距離の精度は、レンズの組合せにとって全レンズユニットの精密度を直接に影響しているので、非常に重要である。一方、保護リングの材料は、レンズ本体の透明材と同一であるため、光がそれを貫通した場合、レンズ自体に光ノイズに干渉を起して、いわゆる、“ゴーストイメージ”現象を生ずることになる。
【発明の開示】
【課題を解決するための手段】
【００１１】
本発明が解決しようとする問題は、上記従来技術の欠点を克服するためものであって、一種高精密度光学レンズの成形機構、およびそれに射出成形した光学レンズを提供し、この成形機構は、成形したレンズが、上記従来技術における光が貫通した後のバイアス現象を克服することによって、成形したレンズが高精密度で、かつ成形したレンズを重ねて組合せても所定の設定で正確に整列することが保証される。
【００１２】
本発明は、一種高精密度の光学レンズの成形機構を提供し、該成形機構から射出成形したレンズは、精度が高く、かつ表面が滑らかでバリがなく、その次の加工も簡単にでき、生産コストが低減されると共に、その寸法の制御も容易に行うことができることを他の目的とする。
【００１３】
本発明は、一種高精密度の光学レンズの成形機構およびその製品を提供することであって、その成形機構の特定位置が艶消し処理されているので、成形された光学レンズの特定位置は、不透明な艶消し表面であるため、従来技術における“ゴーストイメージ”現象を解消することができる。
【００１４】
本発明の技術要点は、一種高精密度光学レンズの成形機構を提供し、第１分割金型と、それに合わせる第２分割金型とを有し、さらに、これらの第１分割金型と第２分割金型とを合わせることで、光学レンズを成形するための金型キャビティを形成することができる。また型開きの時、第１及び第２分割金型を互いに分離させることが可能で、かつ光学レンズは、光学レンズが付着した分割金型の押出装置によりこの分割金型から押出され、またこの光学レンズが付着した分割金型は、一体に設けて固定したレンズコアと保護リングコアを備えている。
【００１５】
前記レンズが付着する分割金型の押出装置は、その保護リングコア上に設けられ、前記保護リングコアの周方向に設けられている。
【００１６】
この押出装置は、前記保護リングコア上に設けられた複数のピンホールと、それに対応する押出ピンを備え、かつ押出ピンの位置が光学レンズの保護リング部分に対応している。
【００１７】
前記押出装置は、さらに前記保護リングコア上に周設したリング状溝とそれに相応する押出リング体を備えると同時に、押出リング体の位置が光学レンズの保護リング部分に対応している。
【００１８】
本発明は、さらに前記高精密度の光学レンズの成形機構により射出成形された高精密度の光学レンズを提供し、レンズ本体と、それ自身の周りに延出した保護リングとを備えている。またこの光学レンズの保護リングの上、下表面には不透明な艶消し表面が形成されている。
【００１９】
本発明における光学レンズが付着する分割金型は、一体に設けられて固定されたレンズコアと保護リングコアを備えており、レンズコアが保護コアに対して変位しないため、両コア間に間隙がなく、成形後の光学レンズもバリを生ずることがないので、光学レンズの精密度が向上し、加工プロセスが簡略化され、それに応じて生産コストも同時に低減することができる。
【００２０】
一方、本発明における光学レンズが付着する分割金型は、一体に設置して固定されたレンズコアと保護リングコアを含んでおり、レンズコアが保護コアに対して変位する必要がないため、前記従来技術が定位または型開きの時に生ずるバイアス現象が避けられ、成形した光学レンズの高精密度が保証され、さらに光がこのレンズを貫通する際に“バイアス”現象を生ずることなく予設した光経路に沿って精確に進行することができる。
【００２１】
さらに、本発明における光学レンズが付着する分割金型は、一体に設けて固定したレンズコアと保護リングコアを備えており、両コア間は如何なる変位もなく定位で、あるいは型開き時に生ずるバイアス現象が避けられ、成形した光学レンズ全体の精度を高めることができ、さらに複数の類似した製造プロセスにより作成した光学レンズを重ね組合せた時に、上、下に隣接したレンズを正確に整列して、これらレンズの間隔を保証する。
【００２２】
なお、上記本発明の成形機構が射出成形した高精密度の光学レンズは、その保護リングの上、下表面が成形する時の艶消し転移処理により艶消し表面を形成することで、従来技術における光ノイズによる干渉が効果的に避けられ、いわゆる“ゴーストイメージ”現象を解消することができる。
【発明を実施するための最良の形態】
【００２３】
明細書の図面を参照して本発明の高精密度の光学レンズおよびその成形機構をさらに詳しく説明する。
【００２４】
図２は、本願の一種高精密度の光学レンズの成形機構の断面図である。この成形機構２は、第１分割金型２０と、それに合わせる第２分割金型２８を備えている。第１分割金型２０と第２分割金型２８とを型締めして光学レンズ２６を成形するキャビティ２５が形成できる。その第１分割金型２０は、可動分割金型２０として設けられていると共に、第２分割金型２８は固定分割金型２８として設けられている。型開きの際には、可動分割金型２０は、固定分割金型２８に対して分離させることができる。
【００２５】
本発明が従来技術と異なった最も重要な特徴として、型開きの際に、第１分割金型２０と第２分割金型が互いに分離可能で、かつ光学レンズ２６は、光学レンズが付着する側の分割金型の押出装置によりこの分割金型２０から押出され、この光学レンズ２６が付着する分割金型２０は、一体に設けられ固定されたレンズコア２２と保護リングコア２１が設けられている。
【００２６】
図２に示した実施例において、成形された光学レンズ２６は、可動分割金型、即ち第１分割金型２０上に付着した状態で維持され、さらに固定分割金型２８から分離することになる。この可動分割金型２０には、保護リングコア２１と、この保護リングコア２１に固定された状態で設けられたレンズコア２２が備えられている。また保護リングコア２１及びレンズコア２２が同一または異なるダイブロックから形成されていてもよい。型開きプロセスにおいて、レンズコア２２が保護リングコア２１に対して動かないため、両コアが別々のダイブロックを用いてそれぞれ製造されて一体に締め付けられる場合、レンズコア２２と保護リングコア２１との隙間がなるべく小さくなるように設けることができる。また保護リングコア２１とレンズコア２２とが同一のダイブロックを用いて一体に成形される場合、両コア間に如何なる隙間も存在しない。また、光学レンズ２６が付着する可動分割金型２０の押出装置は、その保護リングコア２１上に設けられていると共に前記保護リングコア２１の周囲に沿って対称的に設けられている。
【００２７】
前記押出装置は、その他の方式も採用でき、この場合には、例えば前記保護リングコア２１の周りに設けられた押出装置と、それに対応する押出リング体２４とを備えている。
【００２８】
可動分割金型２０上の押出装置の押出ピンまたは押出リングが対応する光学レンズ２６の位置は、レンズ２６の本体（図３と図４に示すように）ではなく、その縁部の保護リング２６５の部分である。それによって、光学レンズ２６の精度をより高く確保できる。
【００２９】
そして、従来技術における、透明なレンズ保護リングを光が貫通してレンズ本体に生じる“ゴーストイメージ”干渉を解消するためには、本発明における高精密度光学レンズに成形機構２の両分割金型２０および２８の保護リングコアの表面が艶消し処理され、例えばサンドブラストまたは腐食により保護リングコアの表面に相対的な粗さを形成することで、光学レンズの成形プロセスにおいて、上記のような荒い表面の状態が光学レンズの保護リング２６５に転移することになる。
【００３０】
図３および図４を同時に参照すれば、本発明は、さらに前記高精密度光学レンズの成形機構２により射出成形した、レンズ本体２６０と保護リング２６５を含む高精密度レンズ２６を提供する。またこの光学レンズ２６の保護リング２６５の上、下表面２６１、２６３は、成形時の艶消し転移処理により、不透明な艶消し表面を形成し、光線が保護リング２６５を貫通してレンズ本体２６０に対して光のノイズ干渉を生じさせることを防止できる。
【００３１】
図３に示すように、レンズ２６は、本体２６０と、本体２６０の縁部から外側へ延出した保護リング２６５とを有している。さらに、本体２６０の上側は、凸面とされ、その下側２６４は、必要に応じて凸面、平面または凹面の何れかに設定することができる。レンズ本体２６０は、一つの光中心軸線２６６を有し、この光中心軸線２６６がさらに本体２６０の凸レンズの一方と最も高い突出点２６２で交わっている。レンズ２６の保護リング２６５が本体２６０を囲むと同時に一体成形され、上表面２６１と下表面２６３を備えている。保護リング２６５の上、下表面２６１、２６３は、本体２６０の上、下側表面より高く成形することができる（例えば保護リング２６５の上表面は、図３において本体２６０の上側の最高突出点２６２より高くなっている）。
【００３２】
図４は、本発明の成形機構により射出成形した両光学レンズ２６と２７を重ね合わせてなるレンズユニットを示し、保護リング２６５がレンズユニットに重要な役割を有していることを説明するための図である。レンズ２７の保護リング２７５の下表面２７３がレンズ２６の保護リング２６５の上表面２６１上に当接し、本発明では、成形後のレンズ２６と２７は、所定の高精密度を有しているので、その保護リング２６５、２７５の上表面２６１と２７１は、それぞれその上に重ねる他のレンズの基準面とされており、例えば図３のレンズ２６保護リング２６５の上表面２６１は、その上に重ねたレンズ２７の基準面である。正常な状態では、隣接して重ねた両レンズ（例えばレンズ２６と２７）間の離隔寸法は、両レンズの保護リング２６５と２６７の寸法により決められ、また本発明の高精密度光学レンズを成形する成形機構のレンズコアと保護リングコアが一体に設置されるので、両レンズ間の変位と定位の問題がない。したがって、重ね合せたレンズ２６および２７の両方の保護リング２６５および２７５の寸法が一定とされているときに、両レンズ２６と２７の最高凸出点２６２と２７２が所定の位置に精密で、かつ精確に位置されることになるため、光がレンズユニットを貫通する時、設定された経路に沿い、バイアス現象が生ずることはない。
【００３３】
また本発明における光学レンズ２６が付着する分割金型２０は、固定して一体に設置したレンズコア２２と保護リングを備え、レンズコア２２が保護リング２１に対して移動しないため、レンズコア２２と保護リングコア２１との間隙を極めて小さく設けることができ、間隙がなくても良いので、成形後の光学レンズ２６上のバリをかなり低減することができ、またこのようなデメリットな現象さえ解消できるので、光学レンズ２６の精密度が向上し、加工プロセスが簡略され生産コストを低減することができる。
【００３４】
一方、本発明における光学レンズ２６が付着する分割金型２０は、固定して一体に設置されたレンズコア２２と保護リングコア２１とを備え、レンズコア２２が保護リングコア２１に対して動かないので、前述の従来技術が定位し、また型開きの時に生ずるバイアス現象が避けられ、成形後の光学レンズ２６の高精密度が保証され、さらに光がこのレンズ２６を貫通する時バイアス現象を生ずることなく予め設定した光経路に沿いながら正確に進むことができる。
【００３５】
さらに、本発明における光学レンズ２６が付着する分割金型２０は、固定した状態で一体に設けたレンズコア２２と保護リングコア２１とを備え、レンズコア２２が保護リングコア２１に対して動かないので、レンズ２２と保護リングコア２１間の隙間が非常に小さく設けられ、また間隙を設けなくとも良いので、成形後の光学レンズ２６上のバリをかなり低減でき、さらにこのようなデメリットな現象をもなくすことができるので、生産コストを低減することができる。
【００３６】
一方、本発明において光学レンズ２６が付着する分割金型２０は、一体に設置したレンズコア２２と保護リングコア２１が固定され、レンズコア２２に対して保護リングコア２１が動かないので、前記従来技術が定位したり型開きしたりする際に生ずるバイアス現象が避けられるため、成形後の光学レンズ２６の高精密度が保証される。さらに光がこのレンズ２６を貫通する時、正確に所設した光路に沿って進行し、バイアス現象を生ずることがない。
【００３７】
さらに、本発明において光学レンズ２６が付着する分割金型２０は、一体に設置したレンズコア２２と保護リングコア２１とが固定され、レンズコア２２に対して保護リングコア２１が動かないので、前記従来技術が定位したり型開きしたりする際に生ずるバイアス現象が避けられるため、成形後の光学レンズ２６全体の高精密度が得られる。複数の前述した類似プロセスで生産する当該光学レンズを重ねて一体に組み合わせた時、上、下に隣接したレンズの間の正確な間隔および整列が保証される。
【００３８】
また、本発明の成形機構２により射出成形された高精密度の光学レンズ２６は、その保護リング２６５の上、下表面２６１と２６３は、成形時の艶消し転移処理により艶消し表面を形成するで、従来技術における光ノイズによる干渉が効果的に防止でき、さらに“ゴーストイメージ”現象も解消できる。
【図面の簡単な説明】
【００３９】
【図１】従来技術の成形機構の断面図である。
【図２】本発明の成形機構の断面図である。
【図３】本発明の光学レンズの概略図である。
【図４】本発明の光学レンズを一体に重ね合わせた光学レンズユニットの概略図である。
【符号の説明】
【００４０】
２…成形機構
２２…レンズコア
２０…第１分割金型
２３…ピン、リング状溝
２８…第２分割金型
２４…押出ピン、押出リング
２１…保護リングコア
２５…キャビティ
２６…光学レンズ
【図１】
2005145048.tif 000003
【図２】
2005145048.tif 000004
【図３】
2005145048.tif 000005
【図４】
2005145048.tif 000006